(57)【要約】【課題】小視野かつ高速で撮影を行う場合であっても、放射線撮影のための線量を充分に確保する。【解決手段】被写体を透過した放射線から放射線画像を取得する放射線撮像装置は、外部装置から同期信号を受信し、照射された放射線を、該同期信号の間隔内で蓄積および読出しを行うことにより、該放射線画像を取得する。放射線撮像装置は、読出し可能な領域の一部分の有効領域を該放射線画像として取得する場合、該同期信号の間隔内で、該有効領域に対する読出しを行い、当該読出しのための時間以外の時間で蓄積を行う。【選択図】図１
2018038547.tif 000002
【特許請求の範囲】
【請求項１】
被写体を透過した放射線から放射線画像を取得する放射線撮像装置であって、
外部装置から同期信号を受信する受信手段と、
照射された放射線を、前記同期信号の間隔内で蓄積および読出しを行うことにより、前記放射線画像を取得する取得手段と、を有し、
前記取得手段は、読出し可能な領域の一部分の有効領域を前記放射線画像として取得する場合、前記同期信号と、前記同期信号に基づく前記取得手段による読出しおよび蓄積のためのタイミング制御信号とに基づいて、当該同期信号の間隔内で、当該有効領域に対する読出しを行い、当該読出しのための時間以外の時間で蓄積を行うことを特徴とする放射線撮像装置。
【請求項２】
前記取得手段は、前記同期信号のタイミングに同期して前記有効領域に対する読出しを行い、当該読出しが終了した後、前記同期信号の次のタイミングまで蓄積を行うことを特徴とする請求項１に記載の放射線撮像装置。
【請求項３】
前記同期信号に基づいて、前記タイミング制御信号を生成する生成手段を更に有し、
前記取得手段が、読出し可能な領域の全体を前記放射線画像として取得する場合、前記生成手段は、前記同期信号のタイミングに同期して第１のタイミング制御信号を生成し、前記取得手段は、前記第１のタイミング制御信号に基づいて読出しと蓄積を行い、
前記取得手段が、前記有効領域を前記放射線画像として取得する場合、前記生成手段は、前記第１のタイミング制御信号のタイミングを一定時間ずらした第２のタイミング制御信号を生成し、前記取得手段は、前記同期信号と前記第２のタイミング制御信号に基づいて、読出しと蓄積を行うことを特徴とする請求項１または２に記載の放射線撮像装置。
【請求項４】
前記第１のタイミング制御信号は、前記同期信号の間隔内で第１のレベルと第２のレベルを有し、
前記第２のタイミング制御信号は、前記第１のタイミング制御信号のタイミングを一定時間早めたタイミングで第３のレベルと第４のレベルを有することを特徴とする請求項３に記載の放射線撮像装置。
【請求項５】
前記取得手段は、
前記読出し可能な領域の全体を前記放射線画像として取得する場合、前記第１のタイミング制御信号の第１のレベル時に読出しを行い、前記第１のタイミング制御信号の第２のレベル時に蓄積を行い、
前記有効領域を前記放射線画像として取得する場合、前記第２のタイミング制御信号の第３のレベルから第４のレベルへの切替え時に蓄積を行い、前記同期信号のタイミングで読出しに切り替えることを特徴とする請求項４に記載の放射線撮像装置。
【請求項６】
前記受信手段が、所定の切り替え信号を受信することに応じて、前記生成手段は、前記第１のタイミング制御信号または前記第２のタイミング制御信号を生成することを特徴とする請求項３から５のいずれか１項に記載の放射線撮像装置。
【請求項７】
被写体を透過した放射線から放射線画像を取得する放射線撮像装置の制御方法であって、
外部装置から同期信号を受信する受信工程と、
照射された放射線を、前記同期信号の間隔内で蓄積および読出しを行うことにより、前記放射線画像を取得する取得工程と、を有し、
前記取得工程では、読出し可能な領域の一部分の有効領域を前記放射線画像として取得する場合、前記同期信号と、前記同期信号に基づく読出しおよび蓄積のためのタイミング制御信号とに基づいて、当該同期信号の間隔内で、当該有効領域に対する読出しを行い、当該読出しのための時間以外の時間で蓄積を行うことを特徴とする放射線撮像装置の制御方法。
【請求項８】
放射線を照射する放射線源と、
前記放射線源を制御する放射線発生装置と、
前記放射線発生装置による制御に従って前記放射線源から照射された放射線であって、被写体を透過した放射線から放射線画像を取得する放射線撮像装置と、
外部装置と、を有する放射線撮像システムであって、
前記放射線撮像装置は、
前記外部装置から同期信号を受信する受信手段と、
照射された放射線を、前記同期信号の間隔内で蓄積および読出しを行うことにより、前記放射線画像を取得する取得手段と、を有し、
前記取得手段は、読出し可能な領域の一部分の有効領域を前記放射線画像として取得する場合、前記同期信号と、前記同期信号に基づく前記取得手段による読出しおよび蓄積のためのタイミング制御信号とに基づいて、当該同期信号の間隔内で、当該有効領域に対する読出しを行い、当該読出しのための時間以外の時間で蓄積を行うことを特徴とする放射線撮像システム。
【請求項９】
コンピュータを、請求項１から７のいずれか１項に記載の放射線撮像装置として機能させるためのプログラム。
【発明の詳細な説明】
【技術分野】
【０００１】
本発明は、被写体を透過した放射線を画像として取得する技術に関する。
【背景技術】
【０００２】
従来、放射線発生装置から放射線を被写体に照射し、被写体を透過した放射線をデジタル化することによりデジタル画像（放射線画像）を得る放射線撮像装置が製品化されている。放射線撮像装置は、得られた放射線画像に対して画像処理を施すことにより、鮮明な画像を得ることが可能である。放射線撮像装置は、このようにして得られた画像を、制御コンピュータ等の制御装置に転送することにより、制御装置側では、医療画像診断や保存が可能となる。
【０００３】
放射線撮像装置の中には、放射線を信号電荷（電気信号）に変換する変換素子と、当該電気信号を外部に転送するＴＦＴ（Thin Film Transistor）などのスイッチ素子とで構成される画素を、二次元に配列したセンサアレイを用いるものもある。このような放射線撮像装置は、ＴＦＴなどのスイッチ素子を用いて変換素子で変換された信号電荷を読出し、読み出した電荷量からデジタル画像を形成する。また、このような放射線撮像装置は、従来のＸ線フィルムやイメージングプレートを用いた放射線撮像装置に比べて、即時性が高く、１枚の放射線画像だけでなく、リアルタイムに映像を投影する透視撮影も行うことが可能となる。
【０００４】
透視撮影とは、具体的には、連続的または周期的に放射線を照射することにより連続的画像を得る撮影である。透視撮影により得られた連続的画像により、被写体の動きを観察することが可能である。透視撮影は、撮影部位などにより、異なる撮影モードで行われ得る。例えば、被写体の撮影部位が心臓のように動きの速い部位である場合には、小視野で高速撮影が望ましく、また、被写体の撮影部位が頭部のように動きの少ない部位である場合には、広視野かつ低速撮影が望ましい。
【先行技術文献】
【特許文献】
【０００５】
【特許文献１】特表２００６−５２３１２５号公報
【発明の概要】
【発明が解決しようとする課題】
【０００６】
透視撮影のように、周期的に放射線を照射して撮影を行う場合、放射線照射時間は、単位時間当たりに表示される画像枚数（以下、フレームレートという）に応じて決定される。透視撮影では、単位時間あたりの照射線量がフレームレートに依存するため、制限されてしまう。
【０００７】
特に高速（高フレームレート）で撮影を行う場合、放射線の照射時間は短くなるので、単位時間あたりの照射線量は少なくなる。照射線量が不足すると、画像自体が出力されないことがあり、再撮影や誤診につながるリスクがある。
【０００８】
本発明は、上記課題に鑑みてなされたものであり、小視野かつ高速で撮影を行う場合であっても、放射線撮影のための線量を充分に確保することを目的とする。
【課題を解決するための手段】
【０００９】
上記目的を達成するための一手段として、本発明の放射線撮像装置は以下の構成を有する。すなわち、被写体を透過した放射線から放射線画像を取得する放射線撮像装置であって、外部装置から同期信号を受信する受信手段と、照射された放射線を、前記同期信号の間隔内で蓄積および読出しを行うことにより、前記放射線画像を取得する取得手段と、を有し、前記取得手段は、読出し可能な領域の一部分の有効領域を前記放射線画像として取得する場合、当該同期信号の間隔内で、当該有効領域に対する読出しを行い、当該読出しのための時間以外の時間で蓄積を行う。
【発明の効果】
【００１０】
本発明によれば、小視野かつ高速で撮影を行う場合であっても、放射線撮影のための線量を充分に確保することが可能となる。
【図面の簡単な説明】
【００１１】
【図１】第１の実施形態における放射線撮像システムの構成例を示す図。
【図２】放射線撮像装置内の放射線検出部の構成例を示す図。
【図３】第１の実施形態における放射線撮影のフローチャート。
【図４】第１の実施形態におけるモードチェンジのタイミングチャートを示す模式図。
【図５】第１の実施形態における放射線撮影のタイミングチャートを示す模式図。
【発明を実施するための形態】
【００１２】
［第１の実施形態］
以下に、図面を参照しながら、本発明の実施形態における放射線撮像装置を含む放射線撮像システムについて説明する。図１は、第１の実施形態における放射線撮像システム１００の構成例を示す図である。放射線撮像システム１００は、放射線源１０１、放射線発生装置１０２、制御装置１０３、および放射線撮像装置１０４から構成される。
【００１３】
放射線源１０１は、放射線を照射する。放射線発生装置１０２は、放射線源１０１を制御する。制御装置１０３は、操作者による操作部（不図示）への入力等に基づいて、放射線撮像装置１０４および放射線発生装置１０２を制御する。また、制御装置１０３は、操作者による操作部（不図示）への入力等に基づいて、放射線撮像装置１０４から受信した撮影画像の収集や表示、撮影オーダー受付、撮影情報、患者情報等の登録等を行う。制御装置１０３は、例えばＬＡＮ（Local Area Network）からなる院内ＬＡＮ１０５に接続される。また、院内ＬＡＮ１０５には、ＨＩＳ／ＲＩＳ１０６が接続されている。ＨＩＳは、Hospital Information System（病院情報システム）の略であり、ＲＩＳは、Radiology Information System（放射線情報システム）の略である。制御装置１０３とＨＩＳ／ＲＩＳ１０６は、相互通信可能であり、放射線画像の撮影オーダーや、撮影情報、及び撮影画像データのやりとりを可能とする。
【００１４】
放射線撮像装置１０４は、駆動制御部１１０、放射線検出部１１１、タイミング制御部１１２、記憶部１１３、および電源１１４から構成される。駆動制御部１１０は、撮影や通信動作を制御する。放射線検出部１１１は、放射線を検出し画像データを生成する。放射線検出部１１１による画像データ生成動作については、図２を参照して後述する。タイミング制御部１１２は、制御装置１０３から受信した同期信号に基づいて、電荷（放射線）の蓄積および読出しタイミングを、生成または制御する。記憶部１１３は、撮影画像や撮影情報の保存に使用される。
【００１５】
制御装置１０３は、放射線撮像制御部１２０、放射線発生制御部１２１、同期信号生成部１２２、および表示部１２３から構成される。表示部１２３は、制御装置に内蔵されていても外付けされていても良い。放射線撮像制御部１２０は、放射線撮像装置１０４の画像取得のタイミングや条件などの制御を行う。放射線発生制御部１２１は、放射線発生装置１０２の放射線の照射のタイミングや条件などの制御を行う。同期信号生成部１２２は、登録されている撮影情報等の情報に基づいて、放射線撮像システム１００の同期信号を生成する。表示部１２３は、撮影画像や撮影情報を表示する。
【００１６】
制御装置１０３と放射線撮像装置１０４間、および制御装置１０３と放射線発生装置１０２間は、ＲＳ２３２Ｃ、ＵＳＢ、イーサネット（登録商標）などの規格を用いたケーブル接続通信、専用信号線、および無線通信のいずれか、または複数の手段により、情報のやりとりを可能とする。制御装置１０３と放射線撮像装置１０４間では、例えば画像データ、画像取得条件設定や装置状態取得などの制御通信、および画像取得タイミングや放射線照射可能タイミングの通知など同期のための信号のやりとりを行う。また、制御装置１０３と放射線発生装置１０２間では、例えば放射線照射条件の設定、放射線発生装置の状態取得、実際の照射情報などの制御通信、および放射線照射タイミングの通知などの同期のための信号のやりとりを行う。
【００１７】
図２は、放射線撮像装置１０４の放射線検出部１１１の構成例を示す。放射線検出部１１１は、複数の行および複数の列を構成するように２次元アレイ状に配列された複数の画素２０７からなるセンサアレイ２０４を有する。センサアレイ２０４上の複数の画素２０７は、例えばＴＦＴ２０８および光電変換素子２０９から構成され、各画素２０７上には例えば蛍光体が設けられて形成される。この場合、放射線検出部１１１に入射した放射線は、蛍光体で可視光に変換され、変換された可視光が各画素の光電変換素子２０９に入射し、各光電変換素子２０９において、可視光に応じた電荷が生成される。なお、本実施形態では、上述した蛍光体及び光電変換素子によって入射した放射線を電荷に変換する変換素子を構成する形態として説明する。ただし、例えば蛍光体を設けずに、入射した放射線を直接電荷に変換する、いわゆる直接変換型の変換素子を構成する形態であってもよい。ＴＦＴ２０８のＯＮとＯＦＦの切替えにより、電荷（放射線）の蓄積と電荷の読み出しが実施され、放射線画像を取得することができる。
【００１８】
放射線検出部１１１の２次元センサアレイ２０４上のある行上の画素は、ドライブ回路２０１により駆動線２１１にＴＦＴのＯＮ電圧が印加されることで、行上の各画素のＴＦＴがＯＮになり、電荷がそれぞれの信号線２１０を通してサンプルホールド回路２０２に保持される。その後、保持された電荷は、読出し回路２１２内のマルチプレクサ２０３を介して順次読出され、アンプ２０５により増幅された後、Ａ／Ｄ変換器２０６によりデジタル値の画像データに変換される。また、電荷の読み出しが終了した行は、ドライブ回路２０１により駆動線２１１にＴＦＴのＯＦＦ電圧が印加されることにより、行上の各画素は電荷の蓄積に戻る。
【００１９】
このように、ドライブ回路２０１がセンサアレイ２０４上の各行を順次ドライブして走査を行い、最終的に全ての画素出力の電荷がデジタル値に変換される。これにより、放射線検出部１１１は、放射線画像データを読み出すことができる。このような蓄積動作や読出し動作等の制御は、駆動制御部１１０により行われる。デジタル値に変換された画像データは、図１における記憶部１１３に格納される。
【００２０】
透視撮影の場合は、放射線検出部１１１の読出し回路２１２は、フレームレートに従って、読出し動作を繰り返す。センサアレイ２０４に放射線が照射されている期間は、蓄積動作を行うため、読出し動作は行わない。蓄積動作中は、読出し動作をおこなわないため、消費電力の観点から読出し回路２１２の電源をＯＦＦにしてもよいし、画像アーチファクトの観点から電源をＯＮの状態を維持してもよい。
【００２１】
本実施形態における放射線撮像装置１０４は、以下に説明するタイミングで電荷の蓄積動作と読出し動作を切り替えて放射線撮影を行う。図３を参照して、本実施形態における放射線撮影の手順を説明する。図３は、本実施形態における放射線撮像装置による放射線撮影のフローチャートである。
【００２２】
Ｓ１０１において、操作者は、放射線発生装置１０２、放射線撮像装置１０４、制御装置１０３の電源を投入し、患者を放射線撮像システム１００内の所定の撮影位置にセットする。また、制御装置１０３は、操作者による操作を介して、または、院内ＬＡＮ１０５を経由して、撮影オーダーを受け付ける。続いて、制御装置１０３の放射線撮像制御部１２０は、操作者による操作を介して、または、院内ＬＡＮ１０５を経由して、患者情報や撮影情報を取得する。本実施形態において、撮影情報は、画像サイズ、画像トリミングの有無、フレームレートなどの変動要素がある撮影モードの情報、撮影モードが変更したかを示すモードチェンジ信号といった要素を含むものとする。なお、画像トリミングとは、検出（読出し）可能な画像領域内での所定の一部分の有効領域（有効画素領域）をトリミングすることである。画像トリミングすることにより、小視野の画像が得られる。本実施形態では、画像トリミングのために、放射線撮像装置１０４の読出し回路２１２から検出（読出し）可能な画像領域の読出しを行うが、放射線撮像装置１０４から制御装置１０３へ、画像トリミングされた領域以外の領域の画像出力及び画像表示は行われないものとする（検出（読出し）可能な画像領域に対する読出しのための駆動は行われるが、実データの読出し時間は短くなる）。このような制御により、放射線撮像装置１０４の制御を変更せずに画像サイズを変更することが可能となる。また、制御装置１０３の同期信号生成部１２２において、同期信号を生成し、放射線発生制御部１２１から放射線発生装置１０２へ送信する。
【００２３】
また、制御装置１０３の同期信号生成部１２２は、患者情報や撮影情報に基づいて、同期信号を生成する。同期信号生成部１２２は、生成した同期信号を、放射線撮像装置１０４へ送信する。なお、同期信号は、制御装置１０３以外の外部装置により生成されて、例えば制御装置１０３を経由して放射線撮像装置１０４へ送信されてもよい。また、放射線発生制御部１２１は、同期信号生成部１２２により生成された同期信号を放射線発生装置１０２へ送信する。放射線発生装置１０２は、受信した同期信号に従って、放射線源１０１による放射線の照射を制御する。
【００２４】
Ｓ１０２において、放射線撮像装置１０４は、制御装置１０３（もしくは制御装置１０３以外の装置）から撮影情報と同期信号を受信する。なお、制御装置１０３は、操作者による操作を介して、または、院内ＬＡＮ１０５を経由して、定期的に、または、撮影情報に含まれる要素が変更された場合に、撮影情報を放射線撮像装置１０４へ送信し、放射線撮像装置１０４はそれを受信するものとする。
【００２５】
Ｓ１０３において、放射線撮像装置１０４のタイミング制御部１１２は、制御装置１０３から受信した撮影情報に含まれる撮影モードを参照して、画像トリミングの有無を判定する。画像トリミング無の場合は（Ｓ１０３でＮｏ）、タイミング制御部１１２は、制御装置１０３から受信した同期信号のタイミングに基づいて、放射線撮影を制御するためのタイミング制御信号（第１のタイミング制御信号）を生成する（Ｓ１０４）。
【００２６】
Ｓ１０５において、画像トリミング有の場合は（Ｓ１０３でＹｅｓ）、タイミング制御部１１２は、制御装置１０３から受信した同期信号のタイミングを一定時間早めた（もしくは遅くした）タイミングに基づいて、放射線撮影を制御するためのタイミング制御信号（第２のタイミング制御信号）を生成する。一定時間は、一例として、制御装置１０３から受信された撮影情報に含まれる撮影モードを参照して決定され、フレームレートと有効画像領域の読出し時間などに依存する。
【００２７】
Ｓ１０６において、放射線撮像装置１０４は、Ｓ１０３およびＳ１０４で生成されたタイミグ制御信号に基づいて放射線撮影処理を開始する。第１のタイミング制御信号および第２のタイミング制御信号に基づく放射線撮影処理については、図４と図５を参照して後述する。
【００２８】
Ｓ１０７において、放射線撮像装置１０４が、制御装置１０３からモードチェンジ信号を含む撮影情報を受信した場合、撮影モードが変更されたこととなり、処理はＳ１０３へ戻る。放射線撮像装置１０４が、制御装置１０３からモードチェンジ信号を受信せず（Ｓ１０７でＮｏ）、制御装置１０３から撮影終了のトリガ信号（終了信号）または当該信号を含む撮影情報を受信していない（Ｓ１０８でＮｏ）の間は、放射線撮像装置１０４は、現在のタイミング制御信号に基づいて放射線撮影を継続する。なお、放射線撮像装置１０４は、ハイレベルのモードチェンジ信号を撮影情報とは別に受信してもよく、この場合、処理はＳ１０２へ戻り、撮影情報の受信に応じて、Ｓ１０３以降の処理を行っても良い。
【００２９】
Ｓ１０８において、放射線撮像装置１０４が制御装置１０３から撮影終了のトリガ信号（終了信号）または当該信号を含む撮影情報を受信した場合（Ｓ１０８でＹｅｓ）、撮影終了となる。撮影が終了した場合、次の撮影準備として、放射線撮像装置１０４は駆動され続けてもよい。
【００３０】
図４は、本実施形態における撮影モードの変更（モードチェンジ）による放射線撮影のための蓄積動作と読出し動作の切り替えのタイミングチャートを示す模式図である。なお、このタイミングチャートは、画像トリミング無の撮影モードで開始されているものとする。
【００３１】
放射線撮像装置１０４のタイミング制御部１１２は、制御装置１０３から受信したタイミング信号に基づいて、タイミング制御信号（Ｓ１３）を生成する（Ｓ１０４の第１のタイミング制御信号）。画像トリミング無の場合、放射線撮像装置の動作状態（Ｓ１４）は、タイミング制御信号（Ｓ１３）に従い、読出動作（Ｔ１２−Ｔ１１）と蓄積動作（Ｔ１３−Ｔ１２）を繰り返す。すなわち、駆動制御部１１０は、同期信号とタイミング制御信号に基づいて、放射線検出部１１１が、読出動作（Ｔ１２−Ｔ１１）と蓄積動作（Ｔ１３−Ｔ１２）を同期信号の間隔内で繰り返すよう、駆動信号を放射線検出部１１１に提供する。
【００３２】
モードチェンジ信号（Ｓ１２）がハイレベルとなると、放射線撮像装置の動作状態（Ｓ１４）は、モードチェンジ（図４では、ＭＣ）状態となる。モードチェンジ状態中は、制御装置１０３から送信される撮影情報に含まれる撮影モードの情報に基づいて、画像トリミング有無を判定する。判定の結果、画像トリミング有の場合、タイミング制御信号（Ｓ１３）を一定時間早める（Ｓ１０５の第２のタイミング制御信号）。放射線撮像装置の動作状態（Ｓ１４）は、読出動作（Ｔ１５−Ｔ１４）と蓄積動作（Ｔ１６−Ｔ１５）を繰り返す。すなわち、駆動制御部１１０は、同期信号とタイミング制御信号に基づいて、放射線検出部１１１が、読出動作（Ｔ１５−Ｔ１４）と蓄積動作（Ｔ１６−Ｔ１５）を同期信号の間隔内で繰り返すよう、駆動信号を放射線検出部１１１に提供する。これにより、蓄積動作時間（Ｔ１６−Ｔ１５）は、モードチェンジ前の蓄積動作時間に対して長くなる。すなわち、読出しのための時間以外の時間は、有効に蓄積のために使用される。また、同期信号（Ｓ１１）に対しての読出動作の開始タイミング（Ｔ１１、Ｔ１４）は、変わらず、蓄積動作の終了タイミング（Ｔ１３、Ｔ１６）は、変わらない。よって、モードチェンジ前後で、同期信号（Ｓ１１）の周期に読出動作と蓄積動作が収まる。
【００３３】
図５は、本実施形態における放射線撮影のタイミングチャートを示す模式図である。制御装置１０３が放射線撮像装置１０４へ同期信号（Ｓ１）とフレームレート、画像サイズなどの撮影情報を送信すると、放射線撮像装置１０４のタイミング制御部１１２は、受信した撮影情報に基づいて、タイミング制御信号を生成する。
【００３４】
画像トリミング無しの場合、タイミング制御部１１２は、トリミング無し時のタイミング制御信号（Ｓ２）を生成する（Ｓ１０４の第１のタイミング制御信号）。トリミング無し時のタイミング制御信号（Ｓ２）は、有効画素領域の動作状態１（Ｓ３）に同期し、ハイレベル時に読出動作（Ｔ３−Ｔ５）、ローレベル時に蓄積動作を行うように制御される（Ｔ５−Ｔ６）。有効画素領域とは、放射線撮像装置１０４から制御装置１０３に送信される画像領域のことである。画像トリミング無しの場合、読出し可能な画素領域全体が有効画素領域となる。有効画素領域の動作状態１（Ｓ３）は、制御装置１０３からの同期信号（Ｓ１）の周期に読出動作と蓄積動作がおさまる。制御装置１０３からの同期信号（Ｓ１）に１フレームの動作がおさまることで、放射線撮像システム１００の制御が容易になる。
【００３５】
画像トリミング有りの場合、タイミング制御部１１２は、トリミング有り時のタイミング制御信号（Ｓ４）を生成する。トリミング有り時のタイミング制御信号（Ｓ４）は、制御装置１０３からの同期信号（Ｓ１）に同期し、かつ一定時間早く立ち上がるように生成される（Ｔ２−Ｔ１）（Ｓ１０５の第２のタイミング制御信号）。一定時間早く立ち上がることで、有効画素領域の動作状態２（Ｓ５）は、制御装置１０３からの同期信号（Ｓ１）の周期に収まる。また、トリミング有り時のタイミング制御信号（Ｓ４）により、制御装置１０３からの同期信号（Ｓ１）のトリガ（Ｔ３）で、読出動作が開始され、ハイレベルからローレベルへの切替え時（Ｔ４）に蓄積動作が開始される。次の制御装置１０３からの同期信号（Ｓ１）で、蓄積動作を終了する。
【００３６】
なお、図５の例では、トリミング無し時のタイミング制御信号（Ｓ２）とトリミング有り時のタイミング制御信号（Ｓ４）は、ハイレベルとローレベルを有するが、これに代えて、それぞれ所定のレベルを有してもよい。例えば、トリミング無し時のタイミング制御信号（Ｓ２）のハイレベルとローレベルに代えて、第１のレベルと第２のレベルとし、トリミング有り時のタイミング制御信号（Ｓ４）のハイレベルとローレベルを、第３のレベルと第４のレベルとしてもよい。
【００３７】
このように、本実施形態によれば、小視野かつ高フレームレートにおいても充分な線量を確保することが可能となり、放射線源の性能に依存しないので、放射線撮像システムとしてのコストダウンにつながる。また、同期信号から読出し開始までの時間を短くすることにより、画像表示におけるストレスがなくなるという効果もある。
【００３８】
なお、前述した実施形態は、いずれも本発明を実施するにあたっての具体化の例を示したものに過ぎず、これらによって本発明の技術的範囲が限定的に解釈されてはならないものである。即ち、本発明はその技術思想、またはその主要な特徴から逸脱することなく、様々な形で実施することができる。
【００３９】
［その他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００４０】
１００：放射線撮像システム、１０１：放射線源、１０２：放射線発生装置、１０３：制御装置、１０４：放射線撮像装置、１０５：院内ＬＡＮ、１０６：ＨＩＳ／ＲＩＳ、１１０：駆動制御部、１１１：放射線検出部、１１２：タイミング制御部、１１３：記憶部、１１４：電源、１２０：放射線撮像制御部、１２１：放射線発生制御部、１２２：同期信号生成部、２０１：ドライブ回路、２０２：サンプルホールド回路、２０３：マルチプレクサ、２０４：センサアレイ、２０５：アンプ、２０６：Ａ／Ｄ変換器、２０７：画素、２０８：ＴＦＴ、２０９：光電変換素子、２１０：信号線、２１１：駆動線、２１２：読出し回路
【図１】
2018038547.tif 000003
【図２】
2018038547.tif 000004
【図３】
2018038547.tif 000005
【図４】
2018038547.tif 000006
【図５】
2018038547.tif 000007